(57)【特許請求の範囲】
【請求項１】
全体柱状に形成された本体部の一端面から第１オス端子が突出するとともに他端面に第１メス端子が設けられることでプラグ変換可能な第１ユニットと、
全体柱状に形成された本体部の一端面から第２オス端子が突出するとともに他端面に第２メス端子が設けられることでプラグ変換可能な第２ユニットと、を備え、
前記第２ユニットには、前記第１オス端子とともに所定形状の差込プラグを構成するためのピン部材が前記本体部の側面に設けられ、
前記第１ユニットの本体部の側面に、前記第２オス端子を受け入れ可能な受け入れ部が形成されていることにより、前記第１ユニットと前記第２ユニットとが組付可能に構成されていることを特徴とするプラグ変換装置。
【請求項２】
前記第２ユニットには、２つの前記側面に、互いに形状の異なる前記ピン部材が設けられ、
前記第２ユニットは、前記第１ユニットに対し、前記２つの側面のいずれを前記第１オス端子側に向けるかを選択して組付可能に構成されていることを特徴とする請求項１に記載のプラグ変換装置。
【請求項３】
前記第１オス端子は、一対の凸状の端子金具によって構成され、
前記第１ユニットの本体部が、主本体部と、それぞれ１つの前記端子金具が設けられるとともに前記主本体部に対して移動可能な一対の可動部と、を有し、
前記受け入れ部は、前記一対の可動部の間に形成され、
前記可動部には、前記受け入れ部に受け入れられた前記第２オス端子と干渉せず移動可能なように切り欠き部が形成されていることを特徴とする請求項１又は２に記載のプラグ変換装置。
【発明の詳細な説明】
【技術分野】
【０００１】
本発明は、プラグ変換装置に関する。
【背景技術】
【０００２】
一般に、差込プラグおよびプラグ受けの形状は国や地域によって異なっており、ある国や地域向けの家電等を他の国や地域において使用する際にはプラグ変換が必要となる。そこで、プラグ変換のための機器として、第１アダプタと第２アダプタとによって構成される海外コンセント用アダプタが提案されている（例えば、特許文献１参照）。特許文献１に記載された海外コンセント用アダプタでは、第１アダプタと第２アダプタとが、互いに異なる形状のプラグ端子およびアースピンを有するとともに、互いに組付可能に構成されていることで、種々の形状のプラグ受けに対応することができるようになっている。
【先行技術文献】
【特許文献】
【０００３】
【特許文献１】特開２００３−１４２２１６号公報
【発明の概要】
【発明が解決しようとする課題】
【０００４】
特許文献１に記載された海外コンセント用アダプタでは、第１アダプタの表面（筒の側面）に対し、第２アダプタの後端面部（プラグ端子とは反対側の面近傍の部位）が結合することにより、ＢＦタイプおよびＢ３タイプに対応可能となっている。即ち、第１アダプタの表面に取付用の溝部が形成されるとともに、第２アダプタの後端面部にスリットが形成され、溝部とスリットとが係合することにより、２つのアダプタが結合する。しかしながらこのような構成では、両方のアダプタに結合用部位を形成する必要があるとともに、第１アダプタの表面から取付用の部分が突出することで意匠性が低下しやすいといった不都合があり、シンプルな構成で組み付け可能とすることが望まれていた。
【０００５】
本発明の目的は、シンプルな構成で２つのユニットを組み付けることができるプラグ変換装置を提供することにある。
【課題を解決するための手段】
【０００６】
本発明のプラグ変換装置は、全体柱状に形成された本体部の一端面から第１オス端子が突出するとともに他端面に第１メス端子が設けられることでプラグ変換可能な第１ユニットと、全体柱状に形成された本体部の一端面から第２オス端子が突出するとともに他端面に第２メス端子が設けられることでプラグ変換可能な第２ユニットと、を備え、前記第２ユニットには、前記第１オス端子とともに所定形状の差込プラグを構成するためのピン部材が前記本体部の側面に設けられ、前記第１ユニットの本体部の側面に、前記第２オス端子を受け入れ可能な受け入れ部が形成されていることにより、前記第１ユニットと前記第２ユニットとが組付可能に構成されていることを特徴とする。
【０００７】
以上のような本発明によれば、第１ユニットの本体部に第２ユニットの第２オス端子を受け入れ可能な受け入れ部が形成されていることで、既存の第２オス端子を利用して２つのユニットを組み付けることができ、組み付けのために新たな部位を第２ユニットに形成する必要がない。さらに、第２オス端子は突出した形状であることから、受け入れ部を凹状に形成することができ、組み付けのために突出した部分を第１ユニットに形成する必要がない。このように、シンプルな構成で２つのユニットを組み付けることができる。
【０００８】
この際、本発明のプラグ変換装置では、前記第２ユニットには、２つの前記側面に、互いに形状の異なる前記ピン部材が設けられ、前記第２ユニットは、前記第１ユニットに対し、前記２つの側面のいずれを前記第１オス端子側に向けるかを選択して組付可能に構成されていることが好ましい。このような構成によれば、いずれのピン部材を用いるかを選択することができ、異なる２つの形状の差込プラグを構成することができる。
【０００９】
また、本発明のプラグ変換装置では、前記第１オス端子は、一対の凸状の端子金具によって構成され、前記第１ユニットの本体部が、主本体部と、それぞれ１つの前記端子金具が設けられるとともに前記主本体部に対して移動可能な一対の可動部と、を有し、前記受け入れ部は、前記一対の可動部の間に形成され、前記可動部には、前記受け入れ部に受け入れられた前記第２オス端子と干渉せず移動可能なように切り欠き部が形成されていることが好ましい。このような構成によれば、第１ユニットと第２ユニットとを組み付けた状態においても、一対の可動部を移動させることができ、端子金具同士の間隔を調節することができる。
【発明の効果】
【００１０】
以上のような本発明のプラグ変換装置によれば、第１ユニットの本体部に第２ユニットの第２オス端子を受け入れ可能な受け入れ部が形成されていることで、シンプルな構成で２つのユニットを組み付けることができる。
【図面の簡単な説明】
【００１１】
【図１】本発明の実施形態に係るプラグ変換装置を示す斜視図である。
【図２】前記プラグ変換装置の第１ユニットを示す斜視図である。
【図３】前記第１ユニットを示す斜視図である。
【図４】前記第１ユニットを示す断面図である。
【図５】前記第１ユニットを示す斜視図である。
【図６】前記第１ユニットを示す斜視図である。
【図７】前記プラグ変換装置の第２ユニットを示す斜視図である。
【図８】前記第２ユニットを示す斜視図である。
【図９】前記第２ユニットを示す斜視図である。
【図１０】前記第２ユニットを示す斜視図である。
【図１１】前記第１ユニットと前記第２ユニットとを組付けた様子を示す斜視図である。
【図１２】前記第１ユニットと前記第２ユニットとを組付けた様子を示す斜視図である。
【図１３】前記第１ユニットと前記第２ユニットとを組付けた様子を示す斜視図である。
【発明を実施するための形態】
【００１２】
以下、本発明の実施形態を図面に基づいて説明する。本実施形態のプラグ変換装置１は、図１に示すように、第１ユニット２と、第２ユニット３と、を備える。
【００１３】
［第１ユニットの構成］
第１ユニット２は、図２、３に示すように、本体部２１と、第１オス端子２２と、第１メス端子２３と、ピン部材２４と、を有する。
【００１４】
本体部２１は、絶縁性の樹脂部材によって全体が柱状（本実施形態においては断面オーバル状）に形成され、主本体部２１１と一対の可動部２１２とによって構成される。以下では、柱状の本体部２１の高さ方向をＺ方向とし、オーバル形状の長手方向をＸ方向とし、Ｚ方向およびＸ方向に略直交する方向をＹ方向とする。尚、図１に示すように第１ユニット２と第２ユニット３とが組み付けられている場合には、第１ユニット２のＸ方向、Ｙ方向およびＺ方向を基準とする。
【００１５】
主本体部２１１は、Ｚ方向における本体部２１の一端面２Ａ側に突出した一対の突出部２１１Ａと、一対の突出部２１１Ａの間に形成された溝部２１１Ｂと、突出部２１１ＡのＸ方向外側に形成された切り欠き部２１１Ｃと、を有する。溝部２１１Ｂは、Ｙ方向に貫通するとともに一端面２Ａ側に開口した形状を有している。
【００１６】
一対の可動部２１２は、切り欠き部２１１Ｃに配置されて主本体部２１１に対してＸ方向に移動可能であるとともに、図４に示すようにばね部材２６を介して互いに接続される。ばね部材２６は、一対の可動部２１２が互いに離れるような方向の付勢力を付与する。図５に示すように一対の可動部２１２同士の所定の最大間隔となった際には、一対の可動部２１２が主本体部２１１に当接することにより、間隔がそれ以上広がらないようになっている。一対の可動部２１２は、主本体部２１１を貫通可能でありＸ方向に対向する突起２１２Ａを有している。可動部２１２におけるＸ方向外側部分は、主本体部２１１の外周面の局面形状に沿った形状を有している。
【００１７】
一対の突出部２１１Ａには、本体部２１の側面（Ｙ方向を向いた面）２Ｂ、２Ｄに、Ａタイプのプラグ受け形状の受け入れ部２１３が形成されている。また、側面２Ｄには、Ｚ方向に沿って延びてピン部材２４を収容する収容溝部２１４が形成されている。
【００１８】
図５に示すように一対の可動部２１２が所定距離だけ離れた状態において、突出部２１１Ａと可動部２１２との間の隙間に対し、本体部２１の一端面２ＡからＡタイプの差込プラグが差し込み可能となっている。即ち、一端面２Ａに、Ａタイプのプラグ受け形状の第１受け入れ部２１５が形成されている。本体部２１の他端面（一端面２Ａとは反対側を向いた面）２Ｃには、一対の金具用凹部２１６が形成されるとともに、一対の金具用凹部２１６の間に、後述するピン部材３５を受け入れるための穴状の受け入れ部２１７が形成されている。
【００１９】
第１オス端子２２は、一対の可動部２１２における一端面２Ａから突出している。第１オス端子２２は、Ｃタイプ、ＳＥタイプ、Ｂタイプ、およびＣＢタイプに対応した形状の一対の凸状の端子金具によって構成されている。上記のように可動部２１２がＸ方向に移動可能に設けられていることから、第１オス端子２２を構成する一対の端子金具同士の間隔を調節して各タイプに対応することができるようになっている。
【００２０】
第１オス端子２２を構成する一対の端子金具はＸ方向に並んでおり、これらの間に一対の穴部である第１受け入れ部２１５が形成されている。第１受け入れ部２１５を構成する一対の穴部もＸ方向に並んでいる。
【００２１】
第１メス端子２３は、本体部２１の他端面２Ｃに形成された一対の金具用凹部２１６と、一対の金具用凹部２１６のそれぞれに設けられる端子金具と、によって構成される。第１メス端子２３は、使用したい電気機器の差込プラグの形状に応じたものであればよく、例えばＡタイプのプラグ受けを構成すればよい。また、第１オス端子２２と第１メス端子２３とが、本体部２１に内蔵された接続金具２５によって電気的に接続される。これにより、建物の壁面等に設けられたプラグ受けに対して第１オス端子２２を差し込むとともに、第１メス端子２３に対して差込プラグを差し込んで電気機器を使用することができる。このとき、必要に応じて変圧器を用いてもよい。
【００２２】
ピン部材２４は、絶縁樹脂によって構成されるとともに、Ｏ２タイプのアースピン形状を有している。ピン部材２４は、本体部２１の他端面２Ｃ側において主本体部２１１によって軸支され、本体部２１の収容溝部２１４内に収容された収容状態（図３）と、側面２Ｂから突出してＹ方向に沿って延びる突出状態（図６）と、が切り替え可能となっている。
【００２３】
［第２ユニットの構成］
第２ユニット３は、図７、８に示すように、本体部３１と、第２オス端子３２と、第２メス端子３３と、ピン部材３４、３５と、接続金具と、を有する。
【００２４】
本体部３１は、絶縁性の樹脂部材によって全体が柱状（本実施形態においては断面オーバル状）に形成されている。第２ユニット３の本体部３１における断面の形状および大きさは、第１ユニット２の本体部２１における断面の形状および大きさと略一致している。以下では、柱状の本体部３１の高さ方向をｚ方向とし、オーバル形状の長手方向をｘ方向とし、ｚ方向およびｘ方向に略直交する方向をｙ方向とする。
【００２５】
本体部３１のｚ方向における一端面３Ａには、第１オス端子２２に対応したプラグ受け形状の第２受け入れ部３１１が形成されている。尚、第１オス端子２２を構成する端子金具は間隔が調節可能となっているが、第２受け入れ部３１１は、これらの端子金具が適宜な間隔を有している際に受け入れ可能であればよく、本実施形態においては間隔が最大となる際に受け入れ可能となっている。本体部３１の２つの側面（ｙ方向を向いた面）３Ｂ、３Ｄのそれぞれには、ｚ方向に沿ってピン部材３４、３５を収容する収容溝部３１２、３１３が形成されている。本体部３１の他端面（一端面３Ａとは反対側を向いた面）３Ｃには、一対の金具用凹部３１４が形成されている。
【００２６】
第２オス端子３２は、本体部３１の一端面３Ａから突出している。第２オス端子３２は、ＡタイプおよびＯタイプに対応した形状の一対の凸状の端子金具によって構成されている。これらの端子金具は、ｚ方向を軸方向として本体部３１に対して回動可能に取り付けられており、回動することによってＡタイプとＯタイプとが切り替え可能となっている。また、第２オス端子３２を構成する端子金具は、ｘ方向に並んだ一対の穴部である第２受け入れ部３１１の間に配置されている。
【００２７】
第２メス端子３３は、本体部３１の他端面３Ｃに形成された一対の金具用凹部３１４と、一対の金具用凹部３１４のそれぞれに設けられる端子金具と、によって構成される。第２メス端子３３は、第１メス端子２３と同様に、使用したい電気機器の差込プラグの形状に応じたものであればよい。また、第２オス端子３２と第２メス端子３３とが、本体部３１に内蔵された接続金具によって電気的に接続されている。これにより、建物等に設けられたプラグ受けに対して第２オス端子３２を差し込むとともに、第２メス端子３３に対して差込プラグを差し込んで電気機器を使用することができる。このとき、必要に応じて変圧器を用いてもよい。
【００２８】
ピン部材３４、３５は、絶縁樹脂によって構成されるとともに、それぞれＢ３タイプおよびＢＦタイプのアースピン形状を有している。ピン部材３４、３５は、本体部３１のｚ方向中央部において本体部３１によって軸支され、それぞれ本体部３１の収容溝部３１２、３１３内に収容された収容状態（図９）と、側面３Ｂ、３Ｄから突出してｙ方向に沿って延びる突出状態（図７、８）と、が切り替え可能となっている。ピン部材３４、３５は、収容状態において一端面３Ａからその一部が突出する。
【００２９】
プラグ変換装置１は、用途に応じて第１ユニット２または第２ユニット３が単独で用いられたり、第１ユニット２と第２ユニット３とを適宜に組み合わせて用いられたりする。各用途に対する各ユニットの使用状態について以下に説明する。
【００３０】
［保管または携帯時］
プラグ変換装置１は、使用されず保管されたり携帯されたりする際に、図１に示すように第１ユニット２と第２ユニット３とが組み付けられる。即ち、第１ユニット２の一端面２Ａと第２ユニット３との一端面３Ａとを対向させつつ、これらユニット２、３を互いに接近させていくことにより、第１オス端子２２が第２受け入れ部３１１に受け入れられていく（挿入されていく）とともに、第２オス端子３２が第１受け入れ部２１５に受け入れられていく（挿入されていく）。このとき、ピン部材３４、３５は収容状態としておく。ピン部材３４、３５のうち一端面３Ａから突出した部分は、本体部２１の溝部２１１Ｂに受け入れられていく。即ち、溝部２１１Ｂが第３受け入れ部として機能する。一端面２Ａ、３Ａ同士が当接したら組み付けが完了する。
【００３１】
このような組付状態において、第１オス端子２２は第２ユニット３内に配置され、第２オス端子３２は第１ユニット２内に配置される。即ち、これらのオス端子２２、３２は露出せず、相手方のユニットによって保護される。
【００３２】
［Ａタイプ使用時］
プラグ変換装置１は、Ａタイプから所望のタイプに変換する際に、図７に示すように第２ユニット３が単独で用いられる。このとき、第２オス端子３２を構成する２つの平板状の端子金具を回動させ、これらを略平行な状態とする。
【００３３】
［Ｏタイプ使用時］
プラグ変換装置１は、Ｏタイプから所望のタイプに変換する際に、図１０に示すように第２ユニット３が単独で用いられる。このとき、第２オス端子３２を構成する２つの平板状の端子金具を回動させ、これらを互いに傾斜した状態とする。
【００３４】
［Ｃタイプ、ＳＥタイプ、ＢタイプまたはＣＢタイプ使用時］
プラグ変換装置１は、Ｃタイプ、ＳＥタイプ、ＢタイプまたはＣＢタイプから所望のタイプに変換する際に、図２、５に示すように第１ユニット２が単独で用いられる。このとき、一対の可動部２１２を適宜に移動させ、第１オス端子２２を構成する一対の端子金具同士の間隔を調節する。
【００３５】
［Ｏ２タイプ使用時］
プラグ変換装置１は、Ｏ２タイプから所望のタイプに変換する際に、図１１に示すように第１ユニット２と第２ユニット３とが組み付けられる。即ち、第１ユニット２の他端面２Ｃと第２ユニット３の側面３Ｄとを対向させつつ、側面２Ｄを一端面３Ａ側に向け、これらのこれらユニット２、３をＺ方向において接近させていくことにより、ピン部材３５が受け入れ部２１７に受け入れられていく（挿入されていく）。他端面２Ｃと側面３Ｄとが当接したら組み付けが完了する。このとき、第２オス端子３２を構成する端子金具を回動させ、互いに傾斜した状態としておく。また、ピン部材２４を突出状態としておく。
【００３６】
このような組付状態において、第２オス端子３２とピン部材２４とによってＯ２タイプの差込プラグが構成される。尚、ピン部材２４は絶縁樹脂によって構成されており、実際にはアースピンとしては機能しない。
【００３７】
［Ｂ３タイプ使用時］
プラグ変換装置１は、Ｂ３タイプから所望のタイプに変換する際に、図１２に示すように第１ユニット２と第２ユニット３とが組み付けられる。即ち、第１ユニット２の側面２Ｄと第２ユニット３の一端面３Ａとを対向させつつ、側面３Ｂを一端面２Ａ側に向け、これらのこれらユニット２、３をＹ方向において接近させていくことにより、第２オス端子３２が受け入れ部２１３に受け入れられていく（挿入されていく）。側面２Ｄと一端面３Ａとが当接したら組み付けが完了する。このとき、第１オス端子２２を構成する一対の端子金具同士を最接近させておく。
【００３８】
また、第２ユニット３のピン部材３５は収容状態としておき、ピン部材３５のうち一端面３Ａから突出した部分が溝部２１１Ｂに受け入れられる。即ち、保管または携帯時だけでなくＢ３タイプ使用時においても、溝部２１１Ｂがピン部材３５の一部を受け入れる受け入れ部として機能する。
【００３９】
可動部２１２には、受け入れ部２１３に挿入された第２オス端子３２と干渉しないように切り欠き部２１２Ｂが形成されている。これにより、第１ユニット２と第２ユニット３とを組み付けた状態においても、第１オス端子２２を構成する一対の端子金具同士を最接近させることができるようになっている。
【００４０】
このような組付状態において、第１オス端子２２とピン部材３４とによってＢ３タイプの差込プラグが構成される。尚、ピン部材３４は絶縁樹脂によって構成されており、実際にはアースピンとしては機能しない。
【００４１】
［ＢＦタイプ使用時］
プラグ変換装置１は、ＢＦタイプから所望のタイプに変換する際に、図１３に示すように第１ユニット２と第２ユニット３とが組み付けられる。即ち、第１ユニット２の側面２Ｂと第２ユニット３の一端面３Ａとを対向させつつ、側面３Ｄを一端面２Ａ側に向け、これらのこれらユニット２、３をＹ方向において接近させていくことにより、第２オス端子３２が受け入れ部２１３に受け入れられていく（挿入されていく）。側面２Ｂと一端面３Ａとが当接したら組み付けが完了する。このとき、第１オス端子２２を構成する一対の端子金具同士を最も離隔させておく。
【００４２】
また、第２ユニット３のピン部材３４は収容状態としておき、ピン部材３４のうち一端面３Ａから突出した部分が溝部２１１Ｂに受け入れられる。即ち、保管または携帯時だけでなくＢＦタイプ使用時においても、溝部２１１Ｂがピン部材３４の一部を受け入れる受け入れ部として機能する。
【００４３】
このような組付状態において、第１オス端子２２とピン部材３５とによってＢＦタイプの差込プラグが構成される。尚、ピン部材３５は絶縁樹脂によって構成されており、実際にはアースピンとしては機能しない。
【００４４】
このような本実施形態によれば、以下のような効果がある。即ち、第１ユニット２の本体部２１に第２ユニット３の第２オス端子３２を受け入れ可能な受け入れ部２１３が形成されていることで、既存の第２オス端子３２を利用して２つのユニット２、３を組み付けることができ、組み付けのために新たな部位を第２ユニット３に形成する必要がない。さらに、第２オス端子３２は突出した形状であることから、受け入れ部２１３を凹状に形成することができ、組み付けのために突出した部分を第１ユニット２に形成する必要がない。このように、シンプルな構成で２つのユニット２、３を組み付けることができる。
【００４５】
また、第２ユニット３の２つの側面３Ｂ、３Ｄに互いに形状の異なるピン部材３４、３５が設けられていることで、２つの側面３Ｂ、３Ｄのいずれを第１オス端子２２側に向けるかを選択することにより、いずれのピン部材３４、３５を用いるかを決定することができ、異なる２つの形状の差込プラグを構成することができる。
【００４６】
また、第１ユニット２の一端面２Ａに第１オス端子２２および第１受け入れ部２１５が設けられ、第２ユニット３の一端面３Ａに第２オス端子３２および第２受け入れ部３１１が設けられていることで、一端面２Ａ、３Ａ同士を対向させつつ第１ユニット２と第２ユニット３とを組み付けることにより、第１オス端子２２が第２受け入れ部３１１に受け入れられ、第２オス端子３２が第１受け入れ部２１５に受け入れられる。これにより、各ユニット２、３におけるオス端子２２、３２を相手方のユニットによって保護することができ、保護のためにカバー等を設ける必要がない。従って、シンプルな構成でオス端子２２、３２を保護することができる。
【００４７】
また、第１オス端子２２が第２受け入れ部３１１に受け入れられるとともに第２オス端子３２が第１受け入れ部２１５に受け入れられ、第１ユニット２の本体部２１および第２ユニット３の本体部３１が同様の形状の柱状に形成されていることで、これらのユニット２、３を組み付けた際の外観をすっきりとしたものとし、意匠性を向上させることができる。
【００４８】
また、第１受け入れ部２１５が、第１オス端子２２を構成する一対の端子金具の間に形成されていることで、一対の端子金具の間のスペースを有効利用することができる。
【００４９】
また、第１ユニット２に溝部２１１Ｂが形成され、第２ユニット３のピン部材３４、３５が受け入れられるようになっていることで、ピン部材３４、３５が第１ユニット２によって保護される。従って、シンプルな構成でピン部材３４、３５を保護することができる。
【００５０】
さらに、ピン部材３４、３５を受け入れる溝部２１１Ｂが、第１オス端子２２を構成する一対の端子金具の間に形成されていることで、一対の端子金具の間のスペースを有効利用することができる。
【００５１】
以上、実施形態を挙げて本発明を説明したが、本発明は、前記実施形態に限定されるものではなく、本発明の目的が達成できる他の構成等を含み、以下に示すような変形等も本発明に含まれる。
【００５２】
例えば、前記実施形態では、第２ユニット３の２つの側面３Ｂ、３Ｄに互いに形状の異なるピン部材３４、３５が設けられているものとしたが、対応しようとするプラグ受けの種類に応じてピン部材が設けられればよく、一方の側面にのみピン部材が設けられていてもよい。
【００５３】
また、前記実施形態では、可動部２１２に切り欠き部２１２Ｂが形成され、第２オス端子３２と干渉しない構成となっているものとしたが、可動部と第２オス端子とが離れて配置されることによりそもそも干渉しない場合には、切り欠き部は形成されていなくてもよい。また、第１オス端子は端子金具の間隔が調節不能に構成されていてもよい。
【００５４】
また、前記実施形態において各タイプのプラグ受けに対するプラグ変換装置の使用方法について具体的に説明したが、プラグ変換装置は、適宜なタイプのプラグ受けに対応したものであればよく、適宜な形状のオス端子およびピン部材を有するとともに、２つのユニットが適宜に組み付け可能に構成されていればよい。
【００５５】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５６】
１          プラグ変換装置
２          第１ユニット
２１        本体部
２１１      主本体部
２１２      可動部
２１２Ｂ    切り欠き部
２１３      受け入れ部
２２        第１オス端子
２３        第１メス端子
２４        ピン部材
２Ａ        一端面
２Ｂ、２Ｄ  側面
２Ｃ        他端面
３          第２ユニット
３１        本体部
３２        第２オス端子
３３        第２メス端子
３４、３５  ピン部材
３Ａ        一端面
３Ｂ、３Ｄ  側面
３Ｃ        他端面
【要約】
【課題】シンプルな構成で２つのユニットを組み付けることができるプラグ変換装置を提供する。
【解決手段】第１ユニット２の本体部２１に第２ユニット３の第２オス端子３２を受け入れ可能な受け入れ部２１３が形成されていることで、既存の第２オス端子３２を利用して２つのユニット２、３を組み付けることができ、組み付けのために新たな部位を第２ユニット３に形成する必要がない。さらに、第２オス端子３２は突出した形状であることから、受け入れ部２１３を凹状に形成することができ、組み付けのために突出した部分を第１ユニット２に形成する必要がない。このように、シンプルな構成で２つのユニット２、３を組み付けることができる。
【選択図】図１【図１】
0006647611.tif 000002
【図２】
0006647611.tif 000003
【図３】
0006647611.tif 000004
【図４】
0006647611.tif 000005
【図５】
0006647611.tif 000006
【図６】
0006647611.tif 000007
【図７】
0006647611.tif 000008
【図８】
0006647611.tif 000009
【図９】
0006647611.tif 000010
【図１０】
0006647611.tif 000011
【図１１】
0006647611.tif 000012
【図１２】
0006647611.tif 000013
【図１３】
0006647611.tif 000014